(57)【要約】【課題】販売商品の入力を行なう際に、販売商品と関連するその商品の購入者の家庭内の在庫商品情報を報知する。【解決手段】販売商品を入力すると、入力される商品が記憶されている在庫商品情報に存在するかを検索し（Ｓ７）、この検索結果に基づいて入力される商品の在庫数を示す在庫商品情報を表示する（Ｓ８）。【選択図】図８
2007286888.tif 000002
【特許請求の範囲】
【請求項１】
情報を取得する情報取得手段と、
この情報取得手段で取得した情報が、商品を購入する客を特定する特定情報とその特定情報で特定されるホームサーバのネットワークアドレスとを関係付けて記憶する記憶手段に記憶されている特定情報であるか否かを判定する特定情報判定手段と、
この特定情報判定手段により前記記憶手段に記憶されている特定情報であると判定すると、その特定情報と関係付けられたネットワークアドレスを前記記憶手段から取得するアドレス取得手段と、
このアドレス取得手段で取得したネットワークアドレスで特定されるホームサーバから在庫商品に関する在庫商品情報を取得する在庫商品情報取得手段と、
この在庫商品情報取得手段で取得した在庫商品情報を記憶する在庫商品情報記憶手段と、
販売商品を入力する販売商品入力手段と、
この販売商品入力手段で販売商品を入力すると、前記入力される商品が前記在庫商品情報記憶手段に記憶されている在庫商品情報に存在するかを検索する検索手段と、
この検索手段による検索結果に基づいて、前記入力される商品の在庫数を示す在庫商品情報を表示する在庫商品情報表示手段とを具備することを特徴とする商品販売データ処理装置。
【請求項２】
前記在庫商品情報取得手段で取得する在庫商品情報は、商品の消費期限を示す情報を含むものであり、
前記在庫商品情報取得手段で取得した在庫商品情報の消費期限を示す情報と現在の日時を示す情報とから消費期限を経過している在庫商品を前記在庫商品情報で示される在庫商品から選別する選別手段と、
この選別手段で選抜した在庫商品のうち前記販売商品入力手段で入力した商品に存在しない在庫商品を抽出する抽出手段と、
この抽出手段で抽出した在庫商品の商品名及び消費期限を示す不足商品情報を表示する不足商品情報表示手段とを具備することを特徴とする請求項１に記載の商品販売データ処理装置。
【請求項３】
コンピュータに、
情報を取得させる情報取得機能と、
この情報取得機能で取得させた情報が、商品を購入する客を特定する特定情報とその特定情報で特定されるホームサーバのネットワークアドレスとを関係付けて記憶させる記憶機能に記憶されている特定情報であるか否かを判定させる特定情報判定機能と、
この特定情報判定機能により前記記憶機能に記憶させている特定情報であると判定させると、その特定情報と関係付けられたネットワークアドレスを前記記憶機能から取得させるアドレス取得機能と、
このアドレス取得機能で取得させたネットワークアドレスで特定されるホームサーバから在庫商品に関する在庫商品情報を取得させる在庫商品情報取得機能と、
この在庫商品情報取得機能で取得させた在庫商品情報を記憶させる在庫商品情報記憶機能と、
販売商品を入力させる販売商品入力機能と、
この販売商品入力機能で販売商品を入力させると、前記入力させる商品が前記在庫商品情報記憶機能により記憶させている在庫商品情報に存在するかを検索させる検索機能と、
この検索機能による検索結果に基づいて、前記入力される商品の在庫数を示す在庫商品情報を表示させる在庫商品情報表示機能とを実現させる情報報知プログラム。
【請求項４】
前記在庫商品情報取得機能で取得させる在庫商品情報は、商品の消費期限を示す情報を含むものであり、
前記在庫商品情報取得機能で取得させる在庫商品情報の消費期限を示す情報と現在の日時を示す情報とから前記消費期限を経過している在庫商品を前記在庫商品情報で示される在庫商品から選別させる選別機能と、
この選別機能で選抜させた在庫商品のうち前記販売商品入力機能で入力させた商品に存在しない在庫商品を抽出させる抽出機能と、
この抽出機能で抽出させた在庫商品の商品名及び消費期限を示す不足商品情報を表示する不足商品情報表示機能とをコンピュータに実現させる請求項３に記載の情報報知プログラム。
【発明の詳細な説明】
【技術分野】
【０００１】
本発明は、ネットワークを介してホームサーバから情報を取得する商品販売データ処理装置及び情報報知プログラムに関する。
【背景技術】
【０００２】
近年、ＩＴ家電が家庭内に普及し始めている。このＩＴ家電と例えばＰＯＳ端末等である電子式キャッシュレジスタを接続することにより、家庭内の在庫管理が可能となっている。
【０００３】
また、顧客の買い上げた商品情報を通信網経由で送信するＰＯＳシステムと、外部から家庭端末を操作して食品在庫管理情報等の必要情報を入手する外部端末と、ＰＯＳシステムから送られた商品情報を受信し、かつ外部端末操作と連携してその外部端末に要求情報を送信する家庭端末とからなる食品管理システムにおいて、食品の在庫情報の提供と、消費期限食品情報の提供と、消費期限が切れそうな食材を活用した料理メニューの提供と、不足食材情報の提供を行なうように構成したものが提案されている（例えば、特許文献１参照）。
【特許文献１】特開２００４−３４８４４５号公報
【発明の開示】
【発明が解決しようとする課題】
【０００４】
しかしながら、食品の在庫情報の提供と、消費期限食品情報の提供と、消費期限が切れそうな食材を活用した料理メニューの提供と、不足食材情報の提供を受けるためには、外部端末を操作する必要がある。このように外部端末を操作しなくてはならないのでは、店舗内で商品を購入する際に情報の提供を受けることは煩雑である。
【０００５】
本発明は上記事情に鑑みてなされたものであって、その目的は、販売商品の入力を行なう際に、販売商品と関連するその商品の購入者の家庭内の在庫商品情報を報知する商品販売データ処理装置及び情報報知プログラムを提供することにある。
【課題を解決するための手段】
【０００６】
第１の本発明は、商品を購入する客を特定する情報を取得し、この取得した情報が、商品を購入する客を特定する特定情報とその特定情報で特定されるホームサーバのネットワークアドレスとを関係付けて記憶する記憶手段に記憶されている特定情報であるか否かを判定し、記憶手段に記憶されている特定情報であると判定すると、その特定情報と関係付けられたネットワークアドレスを前記記憶手段から取得し、この取得したネットワークアドレスで特定されるホームサーバから在庫商品に関する在庫商品情報を取得し、この取得した在庫商品情報を記憶し、販売商品を入力すると、入力される商品が記憶されている在庫商品情報に存在するかを検索し、この検索結果に基づいて入力される商品の在庫数を示す在庫商品情報を表示する商品販売データ処理装置である。
【０００７】
第２の本発明はコンピュータに、商品を購入する客を特定する情報を取得させ、この取得させた情報が、商品を購入する客を特定する特定情報とその特定情報で特定されるホームサーバのネットワークアドレスとを関係付けて記憶させる記憶機能に記憶されている特定情報であるか否かを判定させ、記憶機能に記憶させている特定情報であると判定させると、その特定情報と関係付けられたネットワークアドレスを前記記憶機能から取得させ、この取得させたネットワークアドレスで特定されるホームサーバから在庫商品に関する在庫商品情報を取得させ、この取得させた在庫商品情報を記憶させ、販売商品を入力させると、入力させる商品が在庫商品情報に存在するかを検索させ、この検索結果に基づいて、入力される商品の在庫数を示す在庫商品情報を表示させる機能を実現させる情報報知プログラムである。
【発明の効果】
【０００８】
本発明によると、販売商品の入力を行なう際に、販売商品と関連するその商品の購入者の家庭内の在庫商品情報を報知する商品販売データ処理装置及び情報報知プログラムを提供できる。
【発明を実施するための最良の形態】
【０００９】
以下、本発明の一実施の形態について図面を参照して説明する。  
図１は、ネットワーク構成を概略的に示す図である。図１に示すように、商品の販売等を行なう店舗内に設置された商品販売データ処理装置であるＰＯＳ端末１は、ルータ１ａを介してインターネット２と接続され、またＬＡＮ１ｂと接続されている。また、インターネット２にはルータ３ａを介してサーバ３、ルータ４ａを介してホームサーバ４が接続されている。なお、ホームサーバは説明を簡単にするためホームサーバ４の１つのみ図示する。
【００１０】
家庭内に設置されたホームサーバ４は、ＩＴホーム端末５等と無線でデータ通信を行えるようになっている。また、ＩＴホーム端末５には、ＬＡＮ７を介してＩＴ冷蔵庫６が接続されている。ＩＴ冷蔵庫６は、無線タグが貼り付けられた食品（マヨネーズ３個、中華ドレッシング２個、牛乳１個）を収納している。また、ＩＴ冷蔵庫６は、収納されている食品に貼り付けられた無線タグの情報を読み取ることにより、収納している食品の情報を取得できるようになっている。すなわち、ＩＴ冷蔵庫６は、収納庫内に所定の電波を発し、マヨネーズ３個、中華ドレッシング２個、牛乳１個にそれぞれ貼り付けられた無線タグ８ａ〜８ｆから応答電波を受信することにより、無線タグ８ａ〜８ｆに記憶された情報を取得できるようになっている。
【００１１】
ここで無線タグ８ａ〜８ｆに記憶されている情報について説明する。一例としてマヨネーズに貼り付けられた無線タグ８ａについて説明する。図２は、無線タグ８ａに記憶される情報を示す図である。図２に示すように、無線タグ固有の識別番号を記憶するエリアに加え、貼り付けられる食品に関する情報を記憶するエリアが設けられている。このエリアには、貼り付けられるマヨネーズの「ＪＡＮコード（バーコード）」、「マヨネーズ（食品名）」、に加え、その消費期限を示す情報が記憶される。
【００１２】
ＩＴ冷蔵庫６は、所定のタイミング毎に収納庫内に電波を発し、収納された全ての食品に貼り付けられた無線タグ８ａ〜８ｆから固有の識別番号毎に食品のＪＡＮコード、名前、消費期限を示す情報を読み取る。このようにして読み取られた情報は、ＩＴホーム端末８で取得される。
【００１３】
図３は、ＩＴホーム端末８で取得されＩＴホーム端末８内の記憶部に記憶されるＩＴ冷蔵庫６に収納されている在庫食品情報を示す図である。図３に示すように、無線タグ８ａ〜８ｆの固有識別番号に対応させて、冷蔵庫内の食品に関する情報が記憶されている。食品に関する情報は、上述のようにＪＡＮコード、食品名、消費期限等の情報であり、これらが家庭内の在庫食品情報としてＩＴホーム端末８で管理される。なお、この実施の形態では、説明を簡単にするためにＩＴ冷蔵庫６が１つだけＩＴホーム端末８に接続されている場合で説明するが、ＩＴ冷蔵庫が複数ありそれら全てに収納されている食品をＩＴホーム端末８で在庫食品情報として管理するようにしても良い。
【００１４】
図４は、ホームサーバ４の内部構成を示す制御ブロック図である。ホームサーバ４は、ＣＰＵ１１、ＲＯＭ１２、ＲＡＭ１３、時計部１４、ネットワークコントローラ１５、キーボードコントローラ１６、ディスプレイコントローラ１７、ＨＤＤコントローラ１８、無線通信コントローラ１９を有する制御回路を有している。また、キーボードコントローラ１６にキーボード２０を接続し、ディスプレイコントローラ１７にディスプレイ２１を接続し、ＨＤＤコントローラ１８にＨＤＤ２２を接続し、無線通信コントローラ１９にアンテナ２３を接続している。
【００１５】
ＣＰＵ１１は、ＲＯＭ１２及びＨＤＤ２２に記憶された制御プログラムを実行することにより、ホームサーバ４を総括的に制御する。ＲＯＭ１２は、基本動作を行うための制御プログラムが記憶される。ＲＡＭ１３はＣＰＵ１１が制御プログラムを実行するときに必要となるワークエリア等が形成されている。時計部１４は時間を計時し、日時情報を生成する。ネットワークコントローラ１５は、インターネット２を介したデータ通信の制御をする。キーボードコントローラ１６は、キーボード２０から入力されたキー情報をＣＰＵ１１に伝える制御をする。ディスプレイコントローラ１７は、ＣＰＵ１１の指示に基づくディスプレイへ２１の表示を制御する。ＨＤＤコントローラ１８は、ＨＤＤ２２内のハードディスクへの情報の記憶や、ハードディスクから記憶された情報の読み出し等を制御する。なお、ハードディスクには、サーバ３から所定の指示があったときに、ＩＴホーム端末８内に記憶された在庫食品情報を無線通信により取得し、ルータ４ａ、インターネット２を介してサーバ３へ在庫食品情報を送信する制御プログラムが記憶されている。
【００１６】
次に、サーバ３について説明する。サーバ３は、ＡＳＰ（アプリケーション・サービス・プロバイダ）型のネットワーク家電サービスを提供するものである。具体的には、サーバ３は、ＰＯＳ端末１から在庫食品情報を取得するためのネットワークアドレスの提供があったときに、当該ネットワークアドレスで特定されるホームサーバ４にアクセスし、そのホームサーバ４に在庫食品情報をＩＴホーム端末８から取得させ、送信させるための指示を送信する。そして、サーバ３は、ホームサーバ４からＩＴホーム端末８から取得した在庫食品情報が送信されると、その送信された在庫食品情報をＰＯＳ端末１に送信する。
【００１７】
なお、この実施の形態では、ＰＯＳ端末１はサーバ３、ホームサーバ４から在庫食品情報を取得する場合で説明するがこれに限るものではなく、ＰＯＳ端末１が直接ホームサーバ４にアクセスしてＩＴホーム端末８に記憶された在庫食品情報を取得するようにしても良い。
【００１８】
次に、ＰＯＳ端末１について説明する。図５は、ＰＯＳ端末１の内部構成を示す制御ブロック図である。図５に示すように、ＰＯＳ端末１は、ＣＰＵ３１、ＲＯＭ３２、ＲＡＭ３３、時計部３４、Ｉ／Ｏ３５、ネットワークコントローラ３６、キーボードコントローラ３７、タッチパネルコントローラ３８、ディスプレイコントローラ３９、プリンタコントローラ４０、スキャナインタフェース（Ｉ／Ｆ）４１、ＨＤＤコントローラ４２を有する制御回路を有している。また、Ｉ／Ｏ３５にモードスイッチ４３及びドロワ開放装置４４を接続し、キーボードコントローラ３７にキーボード４５を接続し、タッチパネルコントローラ３８にオペレータ用のタッチパネルセンサ４６とディスプレイ４７を接続し、ディスプレイコントローラ３９に客用のディスプレイ４８を接続し、プリンタコントローラ４０にプリンタ４９を接続し、スキャナインタフェース４１にスキャナ５０を接続し、ＨＤＤコントローラ４２にＨＤＤ５１を接続している。
【００１９】
ＣＰＵ３１は、ＲＯＭ３２及びＨＤＤ５１に記憶された制御プログラムを実行することにより、ＰＯＳ端末１を総括的に制御する。ＲＯＭ３２は、基本動作を行うための制御プログラムが記憶される。ＲＡＭ３３はＣＰＵ３１が制御プログラムを実行するときに必要となるワークエリア等が形成されている。時計部３４は時間を計時し、日時情報を生成する。Ｉ／Ｏ３５は、モードスイッチ４３からのモードの変更をＣＰＵ３１に伝える。また、Ｉ／Ｏ３５はＣＰＵ３１からのドロワを開放するための指示をドロワ開放装置４４へ伝える。ネットワークコントローラ３６は、インターネット２を介したデータ通信の制御を行う。キーボードコントローラ３７は、キーボード４５から入力されたキーの情報をＣＰＵ３１に伝える制御をする。タッチパネルコントローラ３８は、タッチパネルセンサ４６からの信号をＣＰＵ３１に伝える制御をする。また、タッチパネルコントローラ３８はＣＰＵ３１の指示に基づいてディスプレイ４７の表示を制御する。ディスプレイコントローラ３９は、ＣＰＵ３１の指示に基づいてディスプレイ４８の表示を制御する。プリンタコントローラ４０は、ジャーナルやレシートを印字するプリンタ４９の印字を制御する。スキャナインタフェース４１は、スキャナ５０で読み取られたバーコードデータの入力を制御する。ＨＤＤコントローラ４２は、ＨＤＤ５１内のハードディスクへの情報の記憶や、ハードディスクから記憶された情報の読み出し等を制御する。なお、ハードディスクには、店舗内で販売する商品の商品販売食品入力処理を行なうための制御プログラムが記憶されている。また、ＨＤＤ５１内のハードディスクには、店舗の会員の会員番号とその会員の家庭内に設置されたホームサーバ４のネットワークアドレスを関連付けて登録したアドレス管理テーブルを記憶している。
【００２０】
図６は、ＨＤＤ５１内に記憶されるアドレス管理テーブル５１ａ（記憶手段）を示す図である。図６に示すように、アドレス管理テーブル５１ａには会員番号とネットワークアドレスとが関連付けられて登録されている。例えば、会員番号「０００１」の会員の家庭内に設置されたホームサーバ４のネットワークアドレスは「１２３４５６＠ｘｘ．ｘｘ．ｘｘ」のように登録されている。なお、会員番号は、例えば、図７に示すように、当該会員番号が割り当てられた会員に渡される会員カード６０にバーコードとして印字される。
【００２１】
続いて、ＰＯＳ端末１のＣＰＵ３１が実行する商品販売食品入力処理について説明する。図８は、商品販売食品入力処理を示すフローチャートである。また、図９は図８における在庫食品情報取得処理を示すサブフローチャートであり、図１０は図８における不足食品表示処理を示すサブフローチャートである。
【００２２】
ＣＰＵ３１は先ず、スキャナ５０で読み取られたバーコードデータを取得すると（Ｓ１，情報取得手段）、その取得したバーコードデータがアドレス管理テーブル５１ａに登録されている会員番号を示す会員番号データ（特定情報）か商品を示すＪＡＮコードデータであるかを判定する（Ｓ２，特定情報判定手段）。ステップＳ２において会員番号データであると判定すると、在庫食品情報を取得する処理を行なう（Ｓ３）。この在庫情報取得処理は、図９のサブフローチャートを参照して説明する。
【００２３】
ＣＰＵ３１は、取得した会員番号データと関連付けて記憶されているネットワークアドレスを示す情報をアドレス管理テーブル５１ａから取得する（Ｓ２１，アドレス取得手段）。そして、このネットワークアドレスを示す情報を取得すると、当該ネットワークアドレスを示す情報をサーバ３にインターネット２を介して送信する（Ｓ２２）。なお、サーバ３は、当該ネットワークアドレスを示す情報をＰＯＳ端末１から受信すると、当該ネットワークアドレスで特定されるホームサーバにインターネット２を介してアクセスし、ホームサーバにＩＴホーム端末から在庫食品情報を取得させ、送信させる指示を出力する。そして、ホームサーバはＩＴホーム端末から在庫食品情報を取得すると、その取得した在庫食品情報をサーバ３へ送信する。サーバ３はこのようにしてＰＯＳ端末１から送信されたネットワークアドレスを示す情報で特定されるホームサーバから在庫食品情報を取得すると、前記ネットワークアドレスを示す情報を送信したＰＯＳ端末１へ在庫食品情報を送信する。
【００２４】
ＣＰＵ３１は、このようにしてサーバ３から在庫食品情報を取得すると（Ｓ２３，在庫商品情報取得手段）、その取得した在庫食品情報をＲＡＭ３３の所定エリアに記憶する（Ｓ２４，在庫商品情報記憶手段）。このようにして、ＰＯＳ端末１は会員カードの会員番号で特定される会員の家庭内に設置されたホームサーバから在庫食品情報を取得する。
【００２５】
一方、ＣＰＵ３１は、ステップＳ２においてＪＡＮコードデータであると判定すると、そのＪＡＮコードで特定される食品の入力処理を行ない（Ｓ４，販売商品入力手段）、入力した食品の価格等の情報をディスプレイに表示する（Ｓ５）。なお、このステップＳ４及びＳ５の処理は従来よりあるものであるため説明を省略する。
【００２６】
このように食品の販売食品入力処理を行なうと、続いて、前記ＲＡＭ３３の所定エリアに在庫食品情報が記憶されているか否かを判定する（Ｓ６）。
【００２７】
前記ＲＡＭ３３の所定エリアに在庫食品情報が記憶されていると判定すると（Ｓ６でＹＥＳ）、ステップＳ４において販売食品入力処理された食品が、在庫食品情報で示される食品に存在するかを検索する（Ｓ７，検索手段）。このようにして検索された検索結果を客用のディスプレイ４８に表示する（Ｓ８，在庫商品情報表示手段）。例えば、検索結果として、当該食品が在庫食品情報で示される食品の中に１つあれば、当該食品の在庫が１個であることがディスプレイ４８に表示される。また、当該食品が在庫として存在しなければ０個と、複数個あればその複数個に対応した個数がディスプレイ４８に表示される。
【００２８】
ＣＰＵ３１は、このようにディスプレイ４８に検索結果を表示したとき（Ｓ８）、又はＲＡＭ３３の所定エリアに在庫食品情報が記憶されていないと判定してステップＳ７及びＳ８の処理をパスしたときは（Ｓ６でＮＯ）、入力終了か否かが判定される（Ｓ９）。この判定は、例えば、キーボード４５に設けられた入力の終了を宣言するキーが入力されたか否かによって判定する。販売食品の入力を終了したと判定しないと（Ｓ９でＮＯ）、ステップＳ１の処理へ戻り、次に入力されるバーコードデータで特定される食品の販売食品入力処理を行なう。したがって、ＰＯＳ端末１は、販売食品の販売食品入力処理が行なわれる前に会員カードを利用して当該員の家庭内に設置されたホームサーバから在庫食品情報を取得しておくことにより、販売食品入力処理が行なわれる毎に入力される食品の在庫数をディスプレイ４８に表示することができる。
【００２９】
一方、ＣＰＵ３１は入力を終了したと判定したときは（Ｓ９でＹＥＳ）、不足食品表示処理を行なう（Ｓ１０）。この不足食品表示処理については、図１０のサブフローチャートを参照して説明する。先ず、前記ＲＡＭ３３の所定エリアに記憶した在庫食品情報に含まれる消費期限を示す情報と時計部３４で生成された日時情報から、消費期限を経過している食品を在庫食品情報で示される全ての食品のうちから選別する（Ｓ４１，選別手段）。
【００３０】
続いて、ＣＰＵ３１は、選別された食品と販売食品入力処理により入力された食品とを比較し、選別された食品にのみ存在する食品、すなわち、選別された食品にはあり、販売食品入力処理により入力された食品にはない食品を抽出する（Ｓ４２，抽出手段）。そして、このように抽出された食品の食品名及び消費期限を不足食品情報として、ディスプレイ４８に表示する（Ｓ４３，不足商品情報表示手段）。
【００３１】
ＣＰＵ３１は、このように不足食品情報をディスプレイ４８に表示すると、決済開始キーの入力があったか否かを判定する（Ｓ１１）。この判定は、キーボード４５に割り当てられた決済を開始する決済開始キーが入力されたか否かにより判定する。当該キーの入力でないと判定すると、すなわち、他のキーの入力を検知した場合には（Ｓ１１でＮＯ）、その他のキーに割り当てられた処理を行なう。決済開始キーの入力があったと判定すると（Ｓ１１でＹＥＳ）、決済処理を行ない（Ｓ１２）、決済処理が終了すると、ＲＡＭ３３の所定エリアに記憶した在庫食品情報をクリアして（Ｓ１３）、処理を終了する。
【００３２】
続いて、店舗内において、例えば、会員番号「０００１」がバーコードとして会員カード印字された会員カード６０を所持する会員が、店舗内で購入した食品の決済を行なう際の作用について説明する。
【００３３】
当該会員は、決済を行なう前に会員カード６０をオペレータに提示する。オペレータは提示された会員カード６０のバーコード部分をスキャナ５０でスキャンする。すると、会員番号「０００１」がＰＯＳ端末１で取得され、会員番号「０００１」と関連付けられたネットワークアドレス「１２３４５６＠ｘｘ．ｘｘ．ｘｘ」がアドレス管理テーブル５１ａから取得される。そして、そのネットワークアドレスを示す情報がサーバ３へインターネット２を介して送信される。サーバ３は、ＰＯＳ端末１からネットワークアドレス「１２３４５６＠ｘｘ．ｘｘ．ｘｘ」を示す情報を取得すると、そのネットワークアドレスで特定されるホームサーバ４にアクセスし、ホームサーバ４にＩＴホーム端末８から在庫食品情報を取得させ、送信させる指示を出力する。そして、ホームサーバ４は、ＩＴホーム端末８から在庫食品情報を取得すると、その在庫食品情報をサーバ３へ送信する。サーバ３は在庫食品情報をホームサーバ４から取得すると、その取得した在庫食品情報をＰＯＳ端末１へ送信する。ＰＯＳ端末１は、このようにサーバ３から送信された在庫食品情報をＲＡＭ３３の所定エリアに記憶する。ＰＯＳ端末１は、このようにして会員番号「０００１」の会員カードの会員の家庭内の在庫食品を示す在庫食品情報を取得する。
【００３４】
続いて、オペレータは、会員が購入する食品に付けられたバーコードをスキャナ５０で読み取り、販売食品の入力を開始する。このようにして販売食品が入力される毎にディスプレイ４８には、入力された食品の食品名と、その食品の在庫数が表示される。図１１は、販売食品入力が行なわれるときのディスプレイ４８の表示例を示す図であり、具体的には、会員番号「０００１」の会員の家庭内に設置されたホームサーバ４に図３で示す在庫食品情報が記憶されている場合に、マヨネーズが販売食品として入力されたときのディスプレイ４８の表示を示す図である。図１１に示すように、自宅のＩＴ冷蔵庫６内に３個のマヨネーズがあるため、「ご自宅に３個あります。」というメッセージがディスプレイ４８に表される。したがって、会員は、ディスプレイ４８の表示を視認して、マヨネーズの購入をやめることをオペレータに申し出ることが可能となる。
【００３５】
オペレータは、会員の購入する全ての食品の入力を終了すると、キーボード４５の所定のキーを押下して販売食品の入力の終了を宣言する。すると、ＰＯＳ端末１は、ＲＡＭ３３の所定エリアに記憶している在庫食品情報から消費期限の切れている食品を選別し、その選別された食品のうちから販売入力された食品にないものを抽出して不足食品としてディスプレイ４８に表示する。図１２は、不足食品を表示するときのディスプレイ４８の表示例を示す図であり、具体的には、５月１０日に会員番号「０００１」の会員の家庭内に設置されたホームサーバ４に図３で示す在庫食品情報が記憶されており、オペレータが入力を行なった食品の中に牛乳がなかったときのディスプレイ４８の表示を示す図である。
【００３６】
図１２に示すように、ディスプレイ４８に消費期限の切れている牛乳が１個あり、その消費期限が２００５年４月３１日であることが表示される。なお、オペレータが入力を行なった食品の中に牛乳が含まれる場合には、在庫としてＩＴ冷蔵庫６内にある牛乳の消費期限が切れていたとしてもディスプレイ４８に表示はされない。したがって、ＰＯＳ端末１は、販売食品を購入しても会員にとって不足している商品をディスプレイ４８にメッセージで表示することができる。会員は、ディスプレイ４８の表示を視認して、購入する食品に牛乳を追加することをオペレータに申し出ることができる。
【００３７】
なお、上記実施の形態は、店舗内で販売する商品を食品及び家庭内のＩＴホーム端末８で管理する対象を食品とした場合で説明しているが、これに限るものではない。例えば、在庫を管理する商品としては、日常生活用品等も対象とすることができる。また、ＰＯＳ端末１は、食品に貼付けられたバーコードをスキャナ５０で読み取って食品を販売商品として入力する場合で説明しているが、無線タグリーダを設け、商品に貼り付けられた無線タグから無線タグに記憶されている情報を読み取って入力するようにしても良い。
【００３８】
なお、本発明は、上述した実施の形態そのままに限定されるものではなく、実施段階ではその要旨を逸脱しない範囲で構成要素を変形して具体化できるものである。
【図面の簡単な説明】
【００３９】
【図１】本発明の実施の形態におけるネットワーク構成を概略的に示す図。
【図２】同実施の形態における無線タグに記憶される情報の一例を示す図。
【図３】同実施の形態における在庫食品情報の一例を示す図。
【図４】同実施の形態におけるホームサーバの内部構成を示す制御ブロック図。
【図５】同実施の形態における商品販売データ処理装置の内部構成を示す制御ブロック図。
【図６】同実施の形態におけるアドレス管理テーブルを示す図。
【図７】同実施の形態における会員カードに印字された会員番号を示すバーコードを示す図。
【図８】同実施の形態における商品販売食品入力処理を示すフローチャート。
【図９】同実施の形態における図８における在庫食品情報取得処理を示すサブフローチャート。
【図１０】同実施の形態における図８における不足食品表示処理を示すサブフローチャート。
【図１１】同実施の形態における客用のディスプレイの表示例を示す図。
【図１２】同実施の形態における客用のディスプレイの表示例を示す図。
【符号の説明】
【００４０】
１…ＰＯＳ端末、２…インターネット、３…サーバ、４…ホームサーバ、５…ＩＴホーム端末、６…ＩＴ冷蔵庫、８ａ〜８ｆ…無線タグ、３１…ＣＰＵ、３２…ＲＯＭ、３３…ＲＡＭ、４８…ディスプレイ、５１…ＨＤＤ、５１ａ…アドレス管理テーブル
【図１】
2007286888.tif 000003
【図２】
2007286888.tif 000004
【図３】
2007286888.tif 000005
【図４】
2007286888.tif 000006
【図５】
2007286888.tif 000007
【図６】
2007286888.tif 000008
【図７】
2007286888.tif 000009
【図８】
2007286888.tif 000010
【図９】
2007286888.tif 000011
【図１０】
2007286888.tif 000012
【図１１】
2007286888.tif 000013
【図１２】
2007286888.tif 000014